(57)【特許請求の範囲】
【請求項１】
ディジタル映像信号を記録媒体に記録し、記録媒体からディジタル映像信号を再生する映像信号記録再生装置において、
第１の記録再生部と、
上記第１の記録再生部に比して小容量で、アクセス速度が上記第１の記録再生部に比して高速な第２の記録再生部と、
上記第１の記録再生部により記録する映像情報を圧縮する第１の圧縮手段と、
上記第１の圧縮手段と対応し、上記第１の記録再生部により再生した圧縮された映像情報を復号する第１の復号手段と、
記録時に、上記第１の圧縮手段に対する映像情報と共通の映像情報が供給され、上記第１の圧縮手段による圧縮率より高い圧縮率でもって、上記第２の記録再生部により記録する映像情報を圧縮する第２の圧縮手段と、
上記第２の圧縮手段と対応し、上記第２の記録再生部により再生した圧縮された映像情報を復号する第２の復号手段と、
上記第１の復号手段の復号出力および上記第２の復号手段の復号出力の一方を選択的に出力する選択手段と、
上記選択手段を制御する制御手段とを備え、
再生時には、上記第１および第２の記録再生部から圧縮された映像情報をそれぞれ再生して上記第１および第２の復号手段により復号し、上記第１および第２の復号手段の復号出力の一方が上記選択手段により選択可能とされ、
所定の再生速度に比して遅い再生速度が設定される場合には、上記選択手段が上記第１の復号手段の復号出力を選択し、所定の再生速度に比して速い再生速度が設定される場合には、上記選択手段が上記第２の復号手段の出力を選択するように、上記制御手段が上記選択手段を制御することを特徴とする映像信号記録再生装置。
【請求項２】
請求項１において、
上記第１および第２の圧縮手段と、上記第１および第２の復号手段と、上記選択手段と、上記制御手段とからなる構成単位を複数備え、
上記第１および第２の記録再生部と複数の上記構成単位との間のバスが時分割で共用されることを特徴とする映像信号記録再生装置。
【請求項３】
請求項１において、
時間的にフレームが連続する画像情報を間欠的に出力することにより、高速再生を行うことを特徴とする映像信号記録再生装置。
【請求項４】
請求項１において、
上記第１の記録再生部は、複数のハードディスクにより構成されるディスクアレイ装置であり、上記第２の記録再生部は、半導体メモリであることを特徴とする映像信号記録再生装置。
【発明の詳細な説明】
【０００１】
【発明の属する技術分野】
この発明は、ディスク状の記録メディアを使用した映像信号再生装置、特に、高速再生を良好に行う映像信号記録再生装置に関する。
【０００２】
【従来の技術】
近年、テープのようにシーケンシャルアクセスの記録メディアに代わってハードディスクなどのランダムアクセスが可能な記録メディアを使用して映像音声データを記録再生する装置が普及しつつある。
【０００３】
一般的には、高画質を必要とされるような映像記録再生装置においては、要求されるデータ転送レートが高い上に、長時間のデータを記録するためには大容量の必要があるので、ハードディスクを複数台並列運転して転送レートを高速化し、さらにパリティデータを記録しておくことにより、万一いずれかのハードディスクが故障しても、元のデータを復元（再構築）できるようにすることにより信頼性を確保した装置が使用されている。
【０００４】
このようなデータの記録再生装置は、ディスクアレイ装置と呼ばれている。ディスクアレイ装置は、ＲＡＩＤ(Redundant Arrays of Inexpensive Discs) と呼ばれ、ＲＡＩＤ１〜５までの５つのクラスに分類されている。例えばＲＡＩＤ３の場合では、１台のディスクアレイコントローラと複数台のハードディスクとから構成され、１台のハードディスクが入力データから演算されるパリティだけを記録するために割り当てられている。それによって、１台のハードディスクが故障した場合には、残りのデータとパリティの演算によって、データを復元でき、故障が解消されたハードディスクに対して復元したデータを記録することによって、データの再構築が可能となる。通常、故障したハードディスクは、新たなものに交換される。このようなＲＡＩＤは、ＡＶサーバーとして、例えば放送局等の映像情報の提供を業務としている分野において、ニュース素材、コマーシャル素材等を蓄える装置として使用される。
【０００５】
【発明が解決しようとする課題】
上述したハードディスクや、ＭＯ（光磁気ディスク）は、アクセススピードの点で限界があり、高速再生時に必要とされるスピードでアクセスできないという問題点がある。例えば、高速再生モードにおいて、時間的に間引いた画像を出力する場合に、磁気ヘッド、ピックアップ等の読み取り部が何度もジャンプ動作し、点在する所望の映像情報を読み出す動作（シーク動作）がなされる。従って、１秒間に３０フレームの画像を出力する場合に、高速再生時に、同一フレームの画像を繰り返して出力する割合が高くなり、１秒間で数フレームの画像しか出力できず、画像更新率が非常に低下する。
【０００６】
また、ＲＡＩＤのように複数台のディスク再生装置を並列運転する時には、多入出力処理が時分割でなされるため、対応するチャンネル数が多くなればなるほど、１つのチャンネルを専用できる時間が短くなり、さらに、更新率の悪い映像情報が出力される状況となる。
【０００７】
このように画像の更新率が悪いと、記録されている対象物の移動速度が速い場合においては、決定的な瞬間を逃す場合が発生し、記録映像素材の内容確認が困難になる問題点があった。また、ある程度高速再生の倍速比を抑えて処理することも考えられるが、時間的に効率的でなく、多入出力処理するチャンネル数が制限されるという問題点も生じる。
【０００８】
一方、より高速な処理は、記録媒体として半導体メモリを用いることにより可能である。しかしながら、半導体メモリを使用した場合においては、ディスク装置と同様の記録容量を確保しようとすると、コスト高になってしまい、実用的でないという問題点があった。
【０００９】
従って、この発明の目的は、小容量の半導体メモリを効率的かつ経済的に用いることによって、高速再生時においても画像更新率が低下することが防止された映像信号記録再生装置を提供することにある。
【００１０】
【課題を解決するための手段】
以上の問題を解決するために、請求項１の発明は、ディジタル映像信号を記録媒体に記録し、記録媒体からディジタル映像信号を再生する映像信号記録再生装置において、
第１の記録再生部と、
第１の記録再生部に比して小容量で、アクセス速度が第１の記録再生部に比して高速な第２の記録再生部と、
第１の記録再生部により記録する映像情報を圧縮する第１の圧縮手段と、
第１の圧縮手段と対応し、第１の記録再生部により再生した圧縮された映像情報を復号する第１の復号手段と、
記録時に、第１の圧縮手段に対する映像情報と共通の映像情報が供給され、第１の圧縮手段による圧縮率より高い圧縮率でもって、第２の記録再生部により記録する映像情報を圧縮する第２の圧縮手段と、
第２の圧縮手段と対応し、第２の記録再生部により再生した圧縮された映像情報を復号する第２の復号手段と、
第１の復号手段の復号出力および第２の復号手段の復号出力の一方を選択的に出力する選択手段と、
選択手段を制御する制御手段とを備え、
再生時には、第１および第２の記録再生部から圧縮された映像情報をそれぞれ再生して第１および第２の復号手段により復号し、第１および第２の復号手段の復号出力の一方が選択手段により選択可能とされ、
所定の再生速度に比して遅い再生速度が設定される場合には、選択手段が第１の復号手段の復号出力を選択し、所定の再生速度に比して速い再生速度が設定される場合には、選択手段が第２の復号手段の出力を選択するように、制御手段が選択手段を制御することを特徴とする映像信号記録再生装置である。
【００１１】
この発明では、第１の記録再生部と第２の記録再生部によって、同一の映像情報を並列的に記録する。その場合、第２の記録再生部に記録される映像情報を圧縮率を第１の記録再生部により記録されるものに比して充分高くする。それによって、第２の記録再生部、例えば半導体メモリの容量を削減することができる。圧縮率を高くするために、第２の記録再生部により再生された映像情報の画質は、良くない。それでも、高速再生時に、画像の内容を確認するためには、充分使用できる。
【００１２】
【発明の実施の形態】
以下、この発明を放送局内等で使用されるビデオサーバーに対して適用した一実施形態を図面を参照して説明する。図１は、この発明の一実施形態の全体構成を示す。この一実施形態は、Ｎチャンネルの映像情報の入力／出力を有し、Ｎチャンネルを同時にアクセス可能な構成とされている。また、図２は、この発明の一実施形態におけるビデオプロセッサブロックの具体的な構成を示す。
【００１３】
図１において、１にて示される破線にて囲まれた部分が信号処理部であり、信号処理部１には、同一の構成のＮ個のビデオプロセッサブロック（１１，１２，１３・・・１Ｎ）が設けられている。また、図１において、２がディスクアレイ装置例えばＲＡＩＤを示す。ＲＡＩＤ２は、主な処理を行う第１の記録再生部である。ＲＡＩＤ２は、複数のハードディスクと統合的なアドレス制御と外部との制御情報の授受を行う制御回路等により構成される。なお、ＲＡＩＤ２の代わりに複数のＲＡＩＤとそのコントローラとを使用しても良い。また、３は、統合的なアドレス制御と外部との制御情報の授受を行う制御回路等を含み、高速アクセスが可能な半導体メモリ群である。半導体メモリ群３は、第２の記録再生部である。
【００１４】
ＲＡＩＤ２と、ビデオプロセッサブロック（１１，１２，１３・・・１Ｎ）のそれぞれとは、信号処理部１側からＲＡＩＤ２側への単方向のバス４とＲＡＩＤ２側から信号処理部１側への単方向のバス６とを介して接続され、映像情報および制御情報の授受が可能とされている。また、半導体メモリ群３と、ビデオプロセッサブロック（１１，１２，１３・・・１Ｎ）のそれぞれとは、信号処理部１側から半導体メモリ群３側への単方向のバス５と半導体メモリ群３側から信号処理部１側への単方向のバス７とを介して接続され、映像情報および制御情報の授受が可能とされている。
【００１５】
ビデオプロセッサブロック（１１，１２，１３・・・１Ｎ）のそれぞれには、入力端子（４１，４２，４３・・・４Ｎ）が設けられ、このＮ個の入力端子（４１，４２，４３・・・４Ｎ）のそれぞれにＮチャンネルの映像情報が供給される。また、ビデオプロセッサブロック（１１，１２，１３・・・１Ｎ）のそれぞれには、制御端子（６１，６２，６３・・・６Ｎ）が設けられている。図示せずも、外部操作パネルの状態に応じて形成された制御情報がこのＮ個の制御端子（６１，６２，６３・・・６Ｎ）のそれぞれに供給される。
【００１６】
ビデオプロセッサブロック（１１，１２，１３・・・１Ｎ）のそれぞれは、制御端子（６１，６２，６３・・・６Ｎ）のそれぞれに供給される制御情報に基づいて入力された映像情報を圧縮処理すると共に、圧縮した映像情報をＲＡＩＤ２および半導体メモリ群３に書き込むための制御情報を形成して各部に供給する。また、圧縮記録されている映像情報をＲＡＩＤ２および半導体メモリ群３から読み出すための制御情報を形成して各部に供給し、ＲＡＩＤ２および半導体メモリ群３から読み出した映像情報を復号処理した後、ＲＡＩＤ２および半導体メモリ群３から読み出した映像情報の一方を選択して出力する。
【００１７】
なお、ＲＡＩＤ２への映像情報を圧縮する圧縮比に比して、半導体メモリ群３への映像情報を圧縮する圧縮比は、より高いものとされる。また、通常再生および所定の倍速比未満の高速再生が設定される場合には、ＲＡＩＤ２から読み出した映像情報が選択され、所定の倍速比以上の高速再生が設定される場合には、半導体メモリ群３から読みだした映像情報が選択される。
【００１８】
このように選択された映像情報がビデオプロセッサブロック（１１，１２，１３・・・１Ｎ）のそれぞれに設けられた出力端子（５１，５２，５３・・・５Ｎ）を介して取り出される。
【００１９】
上述した処理を行うビデオプロセッサブロック（１１，１２，１３・・・１Ｎ）の一例の構成および動作についてさらに説明する。例えば、チャンネル１（ＣＨ１と称する）の映像情報の入力／出力を受け持つビデオプロセッサブロック１１の一例を図２に示す。なお、図２においては、図１と対応する箇所に同一の参照符号が付されている。
【００２０】
図２に示すようにビデオプロセッサブロック１１は、２個の圧縮器２１，２２と４個のバッファメモリ２３，２４，２８，２９と制御器２５と２個のスロット検出器２６，２７と２個の復号器３０，３１とセレクタ３２とにより構成されている。
【００２１】
入力端子４１を介してＣＨ１の映像情報ＶＩＮ１が圧縮器２１および２２に供給される。圧縮器２１は、ＲＡＩＤ２用に設けられたもので、ＭＰＥＧ２等の符号化を使用し、所定の圧縮率で高画質な圧縮処理を行う。圧縮器２１において圧縮された映像情報が制御器２５により制御されるバッファメモリ２３に供給され、一時的に保持される。そして、制御器２５の制御情報に基づいて所定のタイミングで以て圧縮器２１からの映像情報がバス４に出力される。
【００２２】
また、圧縮器２２は、半導体メモリ群３用に設けられたもので、圧縮器２１の圧縮率より高い所定の圧縮率で圧縮処理を行う。圧縮器２２において圧縮された映像情報が制御器２５により制御されるバッファメモリ２４に供給され、一時的に保持される。そして、制御器２５の制御情報に基づいて所定のタイミングで以て圧縮器２２からの映像情報がバス５に出力される。圧縮率を高くするために、フレーム間引き、サブサンプリング等の処理がなされる。圧縮率をどの程度にするかは、ＲＡＩＤ２の容量と半導体メモリ群３の容量の比、高速再生時にどの程度の画質を必要とするか等で決定される。一例として、圧縮器２１の圧縮率が１／４〜１／５程度であり、圧縮器２２の圧縮率が１／２００〜１／２５０程度とされる。
【００２３】
ＲＡＩＤ２から読み出された映像情報は、バス６およびスロット検出器２６を介して制御器２５により制御されるバッファメモリ２８に供給され、一時的に保持される。そして、制御器２５の制御情報に基づいて所定のタイミングで以てＲＡＩＤ２からの映像情報が復号器３０に供給される。復号器３０は、ＲＡＩＤ２用に設けられたもので、圧縮器２１でなされた圧縮処理が復号器３０で解凍される。復号器３０から高画質な映像情報が出力される。この復号出力がセレクタ３２の一方の入力端子に供給される。
【００２４】
また、半導体メモリ群３から読み出された映像情報は、バス７およびスロット検出器２７を介して制御器２５により制御されるバッファメモリ２９に供給され、一時的に保持される。そして、制御器２５の制御情報に基づいて所定のタイミングで以てＲＡＩＤ２からの映像情報が復号器３１に供給される。復号器３１は、半導体メモリ群３用に設けられたもので、圧縮器２２でなされた圧縮処理が復号器３０で解凍される。復号器３１からの復号映像出力がセレクタ３２の一方の入力端子に供給される。復号器３１の出力映像情報は、復号器３０の出力映像情報に比べて画質が劣るが、高速再生時の映像を判別できる程度の品質を有している。この復号出力がセレクタ３２の他方の入力端子に供給される。
【００２５】
セレクタ３２は、制御端子を有し、この制御端子の状態に応じて切り換え動作を行う。例えば、この制御端子がハイレベルとされると一方の入力端子を選択し、制御端子がローレベルとされると他方の入力端子を選択する。このセレクタ３２の制御端子に制御器２５からの制御信号が供給される。従って、制御器２５からの制御信号に基づいて一方の入力端子に供給されているＲＡＩＤ２からの映像情報と他方の入力端子に供給されている半導体メモリ群３からの映像情報の一方が選択的に出力される。
【００２６】
制御器２５は、制御端子６１を介して供給される制御情報ＣＮＴ１に基づいて４個のバッファメモリ２３，２４，２５，２６への制御情報と、ＲＡＩＤ２への制御情報と、半導体メモリ群３への制御情報とを形成して各部に供給する。ＲＡＩＤ２において、所定のタイミングおよびアドレスで以て書き込み／読み出し処理がなされると共に、半導体メモリ群３において、所定のタイミングおよびアドレスで以て書き込み／読み出し処理がなされる。また、制御器２５は、制御端子６１を介して供給される制御情報ＣＮＴ１に基づいてセレクタ３２への制御信号をも形成する。制御器２５において、再生速度が所定倍速比以上に設定された時においてのみローレベルとされ、それ以外場合においては、ハイレベルの制御信号が形成される。例えば、１倍速および１倍速以下を含む数倍速までは、ＲＡＩＤ２の再生出力が出力として使用され、それ以上の倍速比では、半導体メモリ群３の再生出力が出力として使用される。
【００２７】
従って、外部操作パネルにおいて低速再生、通常再生（１倍速）および所定の倍速比未満の高速再生が設定された場合には、セレクタ３２において、ＲＡＩＤ２から再生した映像情報が選択される。一方、所定の倍速比以上に設定された場合においてのみ、半導体メモリ群３から再生した映像情報が選択される。セレクタ３２において選択された映像情報が出力ＶＯＵＴ１として出力端子５１を介して取り出される。
【００２８】
なお、ビデオプロセッサブロック１１以外の他のビデオプロセッサブロック（１２，１３・・・１Ｎ）も同一の構成とされており、バス４，５，６，７を時分割で共用するようにそれぞれのビデオプロセッサブロックにおいて処理がなされる。
【００２９】
上述したこの発明の一実施形態の動作について図３〜図１３を用いて詳細に説明する。上述したようにビデオプロセッサブロック（１１，１２，１３・・・１Ｎ）のそれぞれは、バス４，５，６，７を時分割で共用する状態でそれぞれが独立して記録／再生の動作行うため、ビデオプロセッサブロック（１１，１２，１３・・・１Ｎ）には、タイムスロットがそれぞれに割り当てられている。図３は、このタイムスロットの時間的関係を示す。
【００３０】
図３に示すように、タイムスロットの周期Ｍフレームを均等に分割したＭ／Ｎフレーム期間の長さのタイムスロット（１，２，３・・・Ｎ）がＣＨ１〜ＣＨＮのそれぞれに対して割り当てられている。例えば、タイムスロット１がビデオプロセッサブロック１１に対応し、タイムスロット２がビデオプロセッサブロック１２に対応し、タイムスロット３がビデオプロセッサブロック１３に対応し、タイムスロットＮがビデオプロセッサブロック１Ｎに対応する。従って、１つのビデオプロセッサブロックがバス４，５，６，７を占有できる時間は、Ｍ／Ｎフレームであり、また、そのタイミングは、タイムスロットの周期Ｍにおけるそれぞれのタイムスロットの配置されたタイミングとされる。
【００３１】
先ず、映像情報を記録する場合の処理についてＣＨ１の映像情報ＶＩＮ１を記録する場合を例として説明する。ＣＨ１の映像情報ＶＩＮ１が入力端子４１を介して圧縮器２１，２２のそれぞれに供給される。また、制御端子６１には、例えば、ＲＳ−４２２Ａ，ＶＳ−ＢＵＳ等の規格に準じた伝送ラインが接続されており、この伝送ラインおよび制御端子６１を介して外部操作パネルの設定状態に応じて形成された制御情報ＣＴＬ１が制御器２５に供給される。
【００３２】
圧縮器２１，２２に供給された映像情報ＶＩＮ１は、ＲＡＩＤ２への映像情報の場合と半導体メモリ群３への映像情報の場合とでは、異なった圧縮比で圧縮処理がなされる。つまり、圧縮器２１において、所定の圧縮率で高画質な圧縮処理がなされると共に、圧縮器２２において、圧縮器２１の圧縮率より高い所定の圧縮率で圧縮処理がなされる。
【００３３】
制御器２５において、制御情報ＣＴＬ１の中から記録コマンドが識別されると、２個のバッファメモリ２３，２４への制御情報が形成され、この制御情報がバッファメモリ２３，２４のそれぞれに供給される。
【００３４】
バッファメモリ２３において、圧縮器２１からの映像情報が記録コマンドに応じたタイミングで書き込まれ、一時的に保持される。そして、タイムスロット１のタイミングで圧縮された映像情報が読み出され、バス４に出力される。同様にバッファメモリ２４において、圧縮器２２からの映像情報が記録コマンドに応じたタイミングで書き込まれ、一時的に保持される。そして、タイムスロット１のタイミングで圧縮された映像情報が読み出され、バス５に出力される。この時、制御器２５からは、ＲＡＩＤ２への書き込みアドレスに関する制御情報が形成され、バス４に出力されると共に、半導体メモリ群３への書き込みアドレスに関する制御情報が形成され、バス５に出力される。
【００３５】
従って、ＲＡＩＤ２においては、バス４を介して供給される制御情報に基づいて書き込み処理がなされ、バス４を介して供給される圧縮器２１からの圧縮後の映像情報が所定の領域に書き込まれる。また、半導体メモリ群３においては、バス５を介して供給される制御情報に基づいて書き込み処理がなされ、バス５を介して供給される圧縮器２２からの圧縮後の映像情報が所定の領域に書き込まれる。
【００３６】
なお、ビデオプロセッサブロック１１以外のビデオプロセッサブロック（１２，１３・・・１Ｎ）においても同様に処理がなされ、それぞれのタイムスロット（２，３・・・Ｎ）のタイミングで以て、バス４およびバス５には圧縮された映像情報や制御情報が出力され、それぞれに応じてＲＡＩＤ２および半導体メモリ群３において書き込み処理がなされる。
【００３７】
図４は、記録処理時に、バス４および５上をタイムスロットのタイミングで転送されるデータ列の一例を示す。図４に示すように、１タイムスロット期間（Ｍ／Ｎフレーム）において、記録時には、制御データと実際の圧縮処理された映像データとが存在する。各データについて以下に簡単に説明する。
【００３８】
図面向かって左側となる１番最初のワードから３ワードは、タイムスロットの先頭を表すＳＹＮＣ  ＣＯＤＥ（３ｆｆ，０００，０００）である。スロットＩＤは、このタイムスロットが何番目のスロットであるかを表す。ＮＵＭは、その後に続くコマンドの数を表す。
【００３９】
また、コマンドＣＭＤ１は、１番目のコマンドを表す。つまり、この場合においては、ＣＭＤ１の内容は、記録動作を指示するコマンドである。そして、ＴＯＰ  ＯＦ  ＬＢＡとＤｕｒａｔｉｏｎは、記録する映像データをＲＡＩＤ２内の複数のハードディスクのどの領域に書き込むかを指定するもので、この場合では、ＴＯＰ  ＯＦ  ＬＢＡで書き込む先頭アドレスを指示し、Ｄｕｒａｔｉｏｎでその書き込み区間を設定している。なお、ＬＢＡとは、論理アドレスブロックのことでハードディスク内のセクタの絶対アドレスを示す。
【００４０】
さらに、記録する領域が連続領域でない場合には、コマンドＣＭＤ２とＴＯＰＯＦ  ＬＢＡとＤｕｒａｔｉｏｎとで記録する次の領域を示す。つまり、記録する領域の個数に応じてコマンドとＴＯＰ  ＯＦ  ＬＢＡとＤｕｒａｔｉｏｎで書き込み領域が順次指示される。なお、図４に示すタイムスロットの場合には、２個の領域に分けて記録する場合のものである。そして、最後のコマンドとＴＯＰ  ＯＦ  ＬＢＡとＤｕｒａｔｉｏｎの後に、ＶＩＤＥＯ  ＳＹＮＣを先頭にして実際の圧縮された映像データが存在する。
なお、半導体メモリ群３側では、ＴＯＰ  ＯＦ  ＬＢＡとＤｕｒａｔｉｏｎで指示される書き込み領域のアドレス情報を半導体メモリ群３のアドレスに変換して、その指定されるアドレスに対して記録するように構成されている。
【００４１】
次に、映像情報を再生する場合の処理についてＣＨ１の映像情報ＶＩＮ１を再生する場合を例として説明する。既にＣＨ１の映像情報ＶＩＮ１は、圧縮器２１および圧縮器２２のそれぞれにおいて圧縮処理がなされた後、ＲＡＩＤ２の所定の領域に書き込まれていると共に半導体メモリ群３の所定の領域に書き込まれているものとする。制御端子６１を介して外部操作パネルの設定状態に応じて形成された制御情報ＣＴＬ１が制御器２５に供給される。
【００４２】
制御器２５において、制御情報ＣＴＬ１の中から再生コマンドが識別されると、制御器２５において、ＲＡＩＤ２からの読み出しアドレスに関する制御情報が形成されと共に、半導体メモリ群３からの読み出しアドレスに関する制御情報が形成される。そして、タイムスロット１のタイミングで以てこのＲＡＩＤ２からの読み出しアドレスに関する制御情報がバス４に出力されると共に、半導体メモリ群３からの読み出しアドレスに関する制御情報がバス５に出力される。
【００４３】
ＲＡＩＤ２においては、バス４を介して供給される制御情報に基づいて読み出し処理がなされ、所定の領域に書き込まれている圧縮映像情報が読み出される。また、同様に、半導体メモリ群３においては、バス５を介して供給される制御情報に基づいて読み出し処理がなされ、所定の領域に書き込まれている圧縮映像情報が読み出される。そして、次のタイムスロット１のタイミングで以てＲＡＩＤ２から読み出された映像情報がバス６に出力されると共に、半導体メモリ群３からの読み出された映像情報がバス７に出力される。また、この時、制御器２５において、２個のバッファメモリ２８，２９への制御情報が形成され、この制御情報がバッファメモリ２８，２９のそれぞれに供給される。
【００４４】
バス６を介してＲＡＩＤ２から読み出された映像情報がタイムスロット検出器２６に供給され、対応するタイムスロット１のタイミングにおいて映像情報が取り出される。タイムスロット検出器２６の出力がバッファメモリ２８に供給され、一時的に保持される。そして、バッファメモリ２８に書き込まれたＲＡＩＤ２からの映像情報が制御器２５からの制御情報のタイミングで以て連続的に読み出され、復号器３０に供給される。
【００４５】
また、同様にバス７を介して半導体メモリ群３から読み出された映像情報がタイムスロット検出器２７に供給され、対応するタイムスロット１のタイミングにおいて映像情報が取り出される。タイムスロット検出器２７の出力がバッファメモリ２９に供給され、一時的に保持される。そして、バッファメモリ２９に書き込まれた半導体メモリ群３からの映像情報が制御器２５からの制御情報のタイミングで以て連続的に読み出され、復号器３１に供給される。
【００４６】
復号器３０において、所定の復号処理がなされ、高画質な映像情報が再生される。この復号出力がセレクタ３２の一方の入力端子に供給される。また、復号器３１において、所定の復号処理がなされ、復号器３０側に比べて画質に関しては劣るが更新率の高い映像情報が再生される。この復号出力がセレクタ３２の他方の入力端子に供給される。
【００４７】
セレクタ３２には、制御器２５からの制御信号が供給されている。従って、外部操作パネルにおいて通常再生および所定の倍速比未満の高速再生に設定された場合には、セレクタ３２において、ＲＡＩＤ２側から再生された映像情報が選択され、所定の倍速比以上に設定された場合においてのみ、半導体メモリ群３側から再生された映像情報が選択される。セレクタ３２において選択された映像情報が出力ＶＯＵＴ１として出力端子５１を介して取り出される。
【００４８】
なお、ビデオプロセッサブロック１１以外のビデオプロセッサブロック（１２，１３・・・１Ｎ）においても同様に処理がなされ、それぞれのタイムスロット（２，３・・・Ｎ）のタイミングで以て、バス４およびバス５には制御情報が出力され、それぞれに応じてＲＡＩＤ２および半導体メモリ群３において読み出し処理がなされる。そして、読み出し処理後の次のそれぞれのタイムスロット（２，３・・・Ｎ）のタイミングで以てＲＡＩＤ２から読み出された映像情報がバス６に出力されると共に、半導体メモリ群３からの読み出された映像情報がバス７に出力される。それぞれのビデオプロセッサブロック（１２，１３・・・１Ｎ）において、復号処理がなされた後、選択された映像情報が出力端子（５２，５３・・・５Ｎ）を介してそれぞれに取り出される。
【００４９】
図５は、再生時に、バス４および５上をタイムスロットのタイミングで転送されるデータ列の一例を示す。図５に示すように１つのタイムスロット期間（Ｍ／Ｎフレーム）において、再生時には、制御データのみが存在する。各データについて以下に簡単に説明する。
【００５０】
図面向かって左側となる１番最初のワードから３ワードは、タイムスロットの先頭を表すＳＹＮＣ  ＣＯＤＥ（３ｆｆ，０００，０００）である。スロットＩＤは、このタイムスロットが何番目のスロットであるかを表す。ＮＵＭは、その後に続くコマンドの数を表す。
【００５１】
また、コマンドＣＭＤ１は、１番目のコマンドを表す。つまり、この場合においては、ＣＭＤ１の内容は、再生動作を指示するコマンドである。そして、ＴＯＰ  ＯＦ  ＬＢＡとＤｕｒａｔｉｏｎは、再生する映像データをＲＡＩＤ２内の複数のハードディスクのどの領域から読み出すかを指定するもので、この場合では、ＴＯＰ  ＯＦ  ＬＢＡで読み出し先頭アドレスを示し、Ｄｕｒａｔｉｏｎでその読み出し区間を設定している。
【００５２】
さらに、再生する領域が連続領域でない場合には、コマンドＣＭＤ２とＴＯＰＯＦ  ＬＢＡとＤｕｒａｔｉｏｎとで再生する次の領域を示す。つまり、再生する領域の個数に応じてコマンドとＴＯＰ  ＯＦ  ＬＢＡとＤｕｒａｔｉｏｎで読み出し領域が順次指示される。なお、図５に示すタイムスロットの場合には、２個の領域から再生する場合のものである。
【００５３】
なお、半導体メモリ群３側では、ＴＯＰ  ＯＦ  ＬＢＡとＤｕｒａｔｉｏｎで指示される読み出し領域のアドレス情報を半導体メモリ群３のアドレスに変換して、その指定されるアドレスに対して再生するように構成されている。
【００５４】
図６は、記録時および再生時以外に、バス４および５上をタイムスロットのタイミングで転送されるデータ列の一例を示す。図６に示すように１つのタイムスロット期間（Ｍ／Ｎフレーム）において、この場合には、タイムスロットの先頭を表すＳＹＮＣ  ＣＯＤＥ（３ｆｆ，０００，０００）と、スロットＩＤと、ＮＵＭと、コマンドＣＭＤとが存在する。コマンドＣＭＤの内容は、記録および再生以外の処理を指示している。
【００５５】
図７は、再生時に、バス６および７上をタイムスロットのタイミングで転送されるデータ列の一例を示す。図７に示すように１つのタイムスロット期間（Ｍ／Ｎフレーム）において、再生時には、制御データと実際にＲＡＩＤ２若しくは半導体メモリ群３から読み出された映像データとが存在する。
【００５６】
制御データとしては、タイムスロットの先頭を表すＳＹＮＣ  ＣＯＤＥ（３ｆｆ，０００，０００）と、スロットＩＤと、ステータスである。ステータスは、その後に映像データがあることを示し、また、ＲＡＩＤ２若しくは半導体メモリ群３の所定領域から映像データを読み出すことができたかどうかをも示す。
【００５７】
図８は、記録時および再生時以外に、バス６および７上をタイムスロットのタイミングで転送されるデータ列の一例を示す。図８に示すように１つのタイムスロット期間（Ｍ／Ｎフレーム）において、この場合には、タイムスロットの先頭を表すＳＹＮＣ  ＣＯＤＥ（３ｆｆ，０００，０００）と、スロットＩＤと、ステータスとが存在する。ステータスは、バス４およびバス５で転送されてきたコマンドがＲＡＩＤ２および半導体メモリ群３側において正常に受信できたかどうかを示す。
【００５８】
図９は、信号処理部１側からＲＡＩＤ２および半導体メモリ群３にデータを転送する単方向のバス４および５のタイムスロットと、ＲＡＩＤ２および半導体メモリ群３から信号処理部１への単方向のバス６および７のタイムスロットとの関係を示す。
【００５９】
図９に示すようにバス４および５のタイムスロット（１，２，３・・・Ｎ）に比べて、バス６および７のタイムスロット（Ｎ−１，Ｎ，１・・・Ｎ−２）が２タイムスロット期間分の遅れを持つようになされる。つまり、バス４および５を介して送り出した情報に対応した応答が２タイムスロット期間分遅れてバス６および７を介して送り返されるように構成されている。
【００６０】
図１０は、記録時における映像情報とタイムスロットとの関係を示す。この場合においては、タイムスロット２がビデオプロセッサブロック１１に割り当てられているものとして以下説明する。入力端子４１を介して入力された映像情報ＶＩＮ１は、圧縮器２１および２２において圧縮され、一旦バッファメモリ２３および２４に記憶される。ここで、Ｍフレーム分の映像情報を貯えた後、図１０に示すようにタイムスロット２のタイミングでバス４および５に出力する。なお、この時に、７１で示されるＭフレーム分の映像情報が圧縮され、７２に示す圧縮映像情報としてバス４および５にのせられる。
【００６１】
図１１は、再生時における映像情報とタイムスロットとの関係を示す。図１１において７３で示されるように再生コマンドがバス４および５を介して転送されると、バス６および７を介して７４で示すように、２タイムスロット期間分遅れたタイミングで読み出された映像情報が転送されてくる。このデータ量は、１倍速再生においては、図１１において７５で示されるように１度のタイムスロットでＭフレーム分のデータ量があり、ビデオプロセッサブロック１１のバッファメモリ２８，２９に一旦記憶される。そして、順次復号器３０，３１に転送し、それぞれの復号器３０，３１の出力では、連続的な映像情報とされて出力端子５１より出力される。なお、この時には、セレクタ３２においては、復号器３０の出力が選択されている。
【００６２】
例えば、タイムスロット周期Ｍを（Ｍ＝３０フレーム）とし、チャンネル数Ｎを（Ｎ＝１０）とし、１０倍速再生を行う場合についてさらに具体的に説明する。図１２は、このようにＭおよびＮの値を選んだ時の通常再生時におけるタイムスロットと映像情報との関係を示す。なお、この場合の１タイムスロット期間は、Ｍ／Ｎであるから３フレームである。
【００６３】
図１３は、従来の映像信号記録再生装置と同様にＲＡＩＤ２のみを使用して記録／再生処理し、再生速度を１倍速から１０倍速に変化させた場合のタイムスロットと映像情報との関係を示す。つまり、図１３は、ＲＡＩＤ２とバス４および６と復号器３０においてなされる処理の時間的関係を示す。
【００６４】
この場合では、１倍速再生時において、バス４を介して連続領域からＭ（＝３０）フレーム分の映像情報を再生させるようなコマンドが出力されるが、１０倍速再生においては、ＲＡＩＤ２のハードディスクのジャンプ動作に必要とされる時間の関係から１０フレーム間隔の映像情報をＭ（＝３０）フレーム分ハードディスクから再生できないため、実際には、５フレーム分の映像情報しか要求していない（上述した図５におけるコマンド数は、５個となる）。従って、復号器３０の出力信号は、図１３の最下段の詳細図に示すように同じフレームの信号が６フレーム間出力されることとなり、然も、その画像の間隔は、６０フレームとなり、画像の更新率が悪いものとなっている。
【００６５】
一方、図１４は、この発明の一実施形態の処理を示す。すなわち、半導体メモリ群３で記録／再生処理し、再生速度を１倍速から１０倍速に変化させた場合のタイムスロットと映像情報との関係を示す。言い換えると、半導体メモリ群３とバス５および７と復号器３１においてなされる処理の時間的関係を示す。
【００６６】
この場合では、１倍速再生時において、バス４を介して連続領域からＭ（＝３０）フレーム分の映像情報を再生させるようなコマンドが出力され、また、１０倍速再生においても、バス４を介して連続領域からＭ（＝３０）フレーム分の映像情報を再生させるようなコマンドが出力される。半導体メモリ群３では、ＲＡＩＤ２のハードディスクのような読み取り手段のジャンプ動作による制限が存在しないため、１０倍速再生においても、１０フレーム間隔の映像情報がＭ（＝３０）フレーム分再生される（上述した図５におけるコマンド数は、３０個となる）。従って、復号器３１の出力信号は、図１４の最下段の詳細図に示すように、高速再生における倍速比に係わらず、更新率の高い映像情報が出力されることとなる。
【００６７】
このように、ＲＡＩＤ２のハードディスクのジャンプ動作により制限される倍速比以上の再生速度において、セレクタ３２で復号器３１の出力を選択するように制御すれば、画質に関しては若干劣化しているが、画像の確認作業においては、十分とされた更新率の高い映像情報を得ることができる。
【００６８】
なお、この発明の一実施形態においては、映像情報のみを扱っているが、音声情報を映像情報と共に扱うようにしても良い。実際的には、映像情報と音声情報の両者が扱われることが多い。
【００６９】
また、この発明の一実施形態においては、ＲＡＩＤ２および半導体メモリ群３に対して単方向のバス４，５，６，７を２本ずつ組み合わせて用いる場合について説明したが、ＲＡＩＤ２側および半導体メモリ群３側でバスを分離して用いず、１本のバスを共用するようにしても良く、さらに、双方向のバスを用いることにより１本のバスによっても構成することも可能である。
【００７０】
【発明の効果】
この発明では、通常再生時および所定の倍速比未満の高速再生時までにおいては、第１の記録再生部より読み出した映像情報を出力し、また、所定の倍速比以上の高速再生時においては、第２の記録再生部より読み出した映像情報を出力する。従って、この発明に依れば、高速再生時に、更新率の高い映像情報を出力することができ、また、小容量の半導体メモリ群を効率的かつ経済的に用いることができる。
【図面の簡単な説明】
【図１】この発明の一実施形態の全体構成を示すブロック図である。
【図２】この発明の一実施形態におけるビデオプロセッサブロックの一例の構成を示すブロック図である。
【図３】この発明の一実施形態におけるタイムスロットを説明するための略線図である。
【図４】この発明の一実施形態の動作説明に用いるデータ配列の略線図である。
【図５】この発明の一実施形態の動作説明に用いるデータ配列の略線図である。
【図６】この発明の一実施形態の動作説明に用いるデータ配列の略線図である。
【図７】この発明の一実施形態の動作説明に用いるデータ配列の略線図である。
【図８】この発明の一実施形態の動作説明に用いるデータ配列の略線図である。
【図９】この発明の一実施形態の動作説明に用いるタイムスロットの関係を示す略線図である。
【図１０】この発明の一実施形態の記録時の動作説明に用いる略線図である。
【図１１】この発明の一実施形態の再生時の動作説明に用いる略線図である。
【図１２】この発明の一実施形態の再生時の動作説明に用いる略線図である。
【図１３】この発明の説明の参考のために、ＲＡＩＤのみを使用した高速再生動作の説明に用いる略線図である。
【図１４】この発明の一実施形態の高速再生動作の動作説明に用いる略線図である。
【符号の説明】
１・・・信号処理部、２・・・ＲＡＩＤ、３・・・半導体メモリ群、４〜７・・・バス、２１，２２・・・圧縮器、２３，２４，２８，２９・・・バッファメモリ、２５・・・制御器、２６，２７・・・タイムスロット検出器、３０，３１・・・復号器、３２・・・セレクタ、４１・・・入力端子、５１・・・出力端子、６１・・・制御端子
【図１】
0004099548.tif 000002
【図２】
0004099548.tif 000003
【図３】
0004099548.tif 000004
【図４】
0004099548.tif 000005
【図５】
0004099548.tif 000006
【図６】
0004099548.tif 000007
【図７】
0004099548.tif 000008
【図８】
0004099548.tif 000009
【図９】
0004099548.tif 000010
【図１０】
0004099548.tif 000011
【図１１】
0004099548.tif 000012
【図１２】
0004099548.tif 000013
【図１３】
0004099548.tif 000014
【図１４】
0004099548.tif 000015